(57)【要約】      （修正有）【課題】  プリント配線板のロック／ロック解除操作が容易なプリント配線板コネクタ及びロック装置を提供する。【解決手段】  プリント配線板コネクタは細長スロット１０１及びロック装置３を備え、このロック装置３は、ブロック部材３０、第一操作ユニット３１、第二操作ユニット３２を備えている。ブロック部材３０は、挿入されたプリント配線板４をプリント配線板コネクタ内に保持するためプリント配線板４をロック位置で固定するために用いられる。第一操作ユニット３１及び第二操作ユニット３２は互いに離れた位置に設けられ、第一操作ユニット３１または第二操作ユニット３２のいずれかがその他装置により阻害されているときでも、第一操作ユニット３１のボタン３１０を引くか、または第二操作ユニット３２の第一端３２０ａを押すかのいずれかを操作してロック位置からブロック部材３０を離脱させることができる。【選択図】図２
2007109433.tif 000002
【特許請求の範囲】
【請求項１】
プリント配線板を設置するための細長スロットと、前記プリント配線板を前記細長スロット内にロックするためのロック装置とを含み、
そのうち、前記ロック装置は、前記プリント配線板が前記細長スロット内に挿入されたとき、前記プリント配線板を前記細長スロット内に保持するために、前記プリント配線板をロック位置で固定するブロック部材と、
第一外力を施すことで、前記ブロック部材を前記ロック位置から移動させる第一操作ユニットと、
前記第一操作ユニットから離れた位置にあり、第二外力を施すことで、前記ブロック部材を前記ロック位置から移動させる第二操作ユニットとを含むことを特徴とするプリント配線板コネクタ。
【請求項２】
前記第一外力が引く力であり、前記第二外力が押す力であることを特徴とする請求項１に記載のプリント配線板コネクタ。
【請求項３】
前記第一外力が、前記細長スロットの一側面側から前記第一操作ユニットに施され、前記第二外力が前記細長スロットの別の側面側から前記第二操作ユニットに施されることを特徴とする請求項１に記載のプリント配線板コネクタ。
【請求項４】
前記第一外力が前記細長スロットの短辺方向の一側面側から第一操作ユニットに施され、前記第二外力が前記細長スロットの短辺方向の他側面側から前記第二操作ユニットに施されることを特徴とする請求項１に記載のプリント配線板コネクタ。
【請求項５】
ノッチが形成されたプリント配線板を設置するための細長スロットを備えたハウジングと、前記プリント配線板を前記細長スロット内にロックするためのロック装置とを含み、
そのうち、前記ロック装置は、前記ハウジングから延伸された延長支持部、及び
前記延長支持部に移動可能に設置され、前記プリント配線板が前記ハウジングの前記細長スロットに挿入されたときに前記プリント配線板のノッチを固定する保持部材を備えるブロック部材と、
前記保持部材に接続され、前記プリント配線板のノッチから前記保持部材を離脱させる第一操作ユニットと、
前記第一操作ユニットから離れた位置に設置され、前記保持部材に接続され、前記プリント配線板のノッチから前記保持部材を離脱させる第二操作ユニットとを含むことを特徴とするプリント配線板コネクタ。
【請求項６】
前記ブロック部材は、前記延長支持部と前記保持部材間に設置され、前記保持部材が前記プリント配線板のノッチから離脱されたとき、前記保持部材をロック位置に押し戻すための弾性を蓄える弾性部材をさらに備えることを特徴とする請求項５に記載のプリント配線板コネクタ。
【請求項７】
前記延長支持部は通孔を備え、
前記保持部材は本体、前記本体の一端に設けられ前記プリント配線板のノッチを固定するためのヘッド部、及び前記本体の他端に設けられ引きボタン形状の前記第一操作ユニットを接続するためのテール部を備え、
前記本体は前記通孔内に前記ヘッド部及び前記テール部が前記通孔から突き出した状態で設置され、
前記弾性部材は前記保持部材の本体周囲に設置される圧縮バネであることを特徴とする請求項６に記載のプリント配線板コネクタ。
【請求項８】
前記延長支持部は貫通孔を備え、
前記第二操作ユニットは、前記貫通孔内に設置され前記貫通孔からそれぞれ突き出す第一端及び第二端を備えるピンと、
一端が前記ピンの第二端に接続され、他端が前記第一操作ユニットに接続される連結片とを含むことを特徴とする請求項５に記載のプリント配線板コネクタ。
【請求項９】
前記延長支持部は前記通孔に平行な貫通孔を備え、
前記第二操作ユニットは、前記貫通孔内に設置され前記貫通孔からそれぞれ突き出す第一端及び第二端を備えるピンと、
一端が前記ピンの第二端に接続され、他端に前記保持部材のテール部を通過させるための開口部が形成された連結片とを含むことを特徴とする請求項７に記載のプリント配線板コネクタ。
【請求項１０】
プリント配線板コネクタの長手方向一方側に設置され、プリント配線板が前記プリント配線板コネクタに設置されたとき、前記プリント配線板をロックするためのロック装置であって、
前記ロック装置はブロック部材、第一操作ユニット、第二操作ユニットを含み、
そのうち、前記ブロック部材は、前記プリント配線板が前記プリント配線板コネクタに設置されたとき、前記プリント配線板を前記プリント配線板コネクタ内に保持するため前記プリント配線板をロック位置で固定するために用いられ、
前記ブロック部材は、前記第一操作ユニットまたは前記第二操作ユニットのいずれかを操作することにより前記ロック位置から離脱され、前記第一操作ユニット及び前記第二操作ユニットが前記プリント配線板コネクタの短辺方向の両側面側からそれぞれ操作されることを特徴とするロック装置。
【発明の詳細な説明】
【技術分野】
【０００１】
本発明はプリント配線板コネクタに関し、詳細には、インターフェースカードのロックまたはロック解除に用いるロック装置を含むインターフェースカードコネクタに関する。
【背景技術】
【０００２】
図９に従来のプリント配線板コネクタ８とプリント配線板９を示す。この  プリント配線板コネクタ８は、プリント配線板９をプリント配線板コネクタ８に保持するためプリント配線板９をロックするロック装置８０を備えている。
【０００３】
しかしながら、プリント配線板９がプリント配線板コネクタ８に設置されると、プリント配線板９に設置されたヒートシンク装置やファン９０など一定の寸法のその他装置が、特にロック装置８０の操作ユニット８０１など、ロック装置８０における重要な部分を阻害してしまう。このため、使用者がプリント配線板９をロック／ロック解除するためにロック装置８０の操作ユニット８０１を使用するのが困難になる。
【０００４】
さらに、ドイツの実用新案第２０２１９７４４．１号及び第２０２１９７４６．８号、フランスの実用新案第０２１６６０４号及び第０２１６６０３号、英国特許第２３８３９０３号及び第２３９６４８８号、日本の実用新案第３０９４９８７号及び第３０９４９８８号、中華民国の実用新案第２０５１９６号及び第２２２０８７号、米国特許第６７０９２８３号及び第６７６７２３０号、中華人民共和国実用新案第ＺＬ  ０２２０２１２９．９号は、上述の従来構造に似た構造をそれぞれ開示している。加えて、米国特許第４８２６４４７号、第４５７９４１１号、第５６５０９１７号、第６３７９１６８号、第６５５１１２０号、第５３０２１３３号、第６４２５７７８号、第６３６８１２４号、第６３５８０７９号もロック装置付きプリント配線板コネクタを開示している。これらのプリント配線板コネクタは異なる構造であるが、上述のロック装置に似た問題がやはり存在している。
【発明の開示】
【発明が解決しようとする課題】
【０００５】
本発明の主な目的は、プリント配線板コネクタ、及びこのプリント配線板コネクタに用いるロック装置を提供することにある。このロック装置はプリント配線板コネクタの長手方向一方側に設置され、プリント配線板コネクタに設置されるプリント配線板をロックする。また、このロック装置はプリント配線板コネクタの長手方向一方側に一体化させて設けるか、或いはプリント配線板コネクタの長手方向一方側のそばに分離して設けてもよい。
【課題を解決するための手段】
【０００６】
本発明のプリント配線板コネクタは、プリント配線板を設置するための細長スロットと、前記プリント配線板を前記細長スロット内にロックするためのロック装置とを含み、そのうち、前記ロック装置は、前記プリント配線板が前記細長スロット内に挿入されたとき、前記プリント配線板を前記細長スロット内に保持するために、前記プリント配線板をロック位置で固定するブロック部材と、第一外力を施すことで、前記ブロック部材を前記ロック位置から移動させる第一操作ユニットと、前記第一操作ユニットから離れた位置にあり、第二外力を施すことで、前記ブロック部材を前記ロック位置から移動させる第二操作ユニットとを含むことを特徴とする。
【０００７】
即ち、このような本発明の構成では、プリント配線板コネクタは、細長スロットとロック装置とを含み、このロック装置はブロック部材、第一操作ユニット、第二操作ユニットから成る。このブロック部材は、プリント配線板が細長スロット内に挿入されたとき、プリント配線板を細長スロット内に保持するため、プリント配線板をロック位置で固定するために用いられる。加えて、この第一操作ユニット及び第二操作ユニットは、第一外力及び第二外力を及ぼすことでブロック部材をロック位置から移動させるためにそれぞれ用いられる。即ち、第一操作ユニットまたは第二操作ユニットいずれかによりロック位置が移動される。この第一操作ユニット及び第二操作ユニットは、互いに離れて異なる位置に設置され、第一操作ユニット及び第二操作ユニットのいずれかがその他装置により阻害されているときも、第一操作ユニットまたは第二操作ユニットいずれかを操作することができる。
【０００８】
第一操作ユニットと第二操作ユニットは、プリント配線板コネクタの短辺方向の相対する両側からそれぞれ操作できることが望ましい。第一操作ユニットにかかる第一外力は引く力とし、第二操作ユニットにかかる第二外力は押す力とする。
【０００９】
このため、本発明はロック装置のブロック部材を外すためにそれぞれ第一操作ユニットと第二操作ユニットを用いることができ、ロック装置の第一操作ユニット及び第二操作ユニットのいずれかがその他装置により阻害されていても、使用者は第一操作ユニットまたは第二操作ユニットの阻害されていないほうを用いてプリント配線板をロックまたはロック解除することができる。
【発明を実施するための最良の形態】
【００１０】
本発明についてより理解を深めるため、以下、図面に基づき詳細に説明する。
【実施例１】
【００１１】
図１に本発明の実施例１のプリント配線板コネクタ１がマザーボード２に設置された状態を示す。プリント配線板コネクタ１はハウジング１０、細長スロット１０１、ロック装置３を含み、このハウジング１０はマザーボード２上に固定され、プリント配線板４を設置するための細長スロット１０１はハウジング１０上に形成され、  この細長スロット１０１に片側にノッチ４０を設けたプリント配線板４が設置される。この実施例１では、マザーボード２はパーソナルコンピュータのマザーボードとし、プリント配線板４はＶＧＡカードとし、プリント配線板コネクタ１はＰＣＩコネクタとする。
【００１２】
図２に示すように、ロック装置３はブロック部材３０、第一操作ユニット３１、第二操作ユニット３２を含む。そのうち、このブロック部材３０は延長支持部３０１、保持部材３０２、弾性部材３０３を含み、延長支持部３０１はハウジング１０から延伸され、通孔３０１ａと、この通孔３０１ａに平行な貫通孔３０１ｂを備えている。保持部材３０２は本体３０２ａ、ヘッド部３０２ｂ、テール部３０２ｃを有し、ヘッド部３０２ｂとテール部３０２ｃは本体３０２ａの相対する２端にそれぞれ形成される。図３に示すように、本体３０２ａは通孔３０１ａ内に設置され、ヘッド部３０２ｂとテール部３０２ｃが通孔３０１ａから突出した状態となる。弾性部材３０３は圧縮バネとし、本体３０２ａの周囲に設置される。さらに、ヘッド部３０２ｂは細長スロット１０１から長手方向に引いた延長線Ａに対応する位置まで突出した状態とする。すなわち、ヘッド部３０２ｂの位置はプリント配線板４のノッチ４０に対応するよう設計される。
【００１３】
図２及び図３に示すように、第一操作ユニット３１は引きボタンの形状に形成され、ボタン３１０と締め具３１１を含む。保持部材３０２のテール部３０２ｃが通孔３０１ａを介してボタン３１０に挿入され、ボタン３１０とテール部３０２ｃが離脱しないよう固定するため、ボタン３１０内に固定される締め具３１１により、テール部３０２ｃがボタン３１０に固定される。
【００１４】
さらに、第二操作ユニット３２はピン３２０と連結片３２１を含み、このピン３２０は第一端３２０ａと第二端３２０ｂを備え、連結片３２１はその一端がピン３２０の第二端３２０ｂに接続され、他端に開口部３２１ａが形成される。図３に示すように、保持部材３０２のテール部３０２ｃはこの開口部３２１ａも経由してボタン３１０に挿入される。ピン３２０は貫通孔３０１ｂに挿入され、第一端３２０ａと第二端３２０ｂが貫通孔３０１ｂからそれぞれ突出した状態となる。
【００１５】
図４に、プリント配線板４がプリント配線板コネクタ１の細長スロット１０１内に挿入され、ロック装置３のブロック部材３０がプリント配線板４をロックするためロック位置にある状態を示す。このロック位置では、保持部材３０２のヘッド部３０２ｂがプリント配線板４のノッチ４０に挿入され、プリント配線板４を固定し、プリント配線板４が細長スロット１０１内に留まるようにする。つまり、プリント配線板４はロック装置３によりロックされ、プリント配線板４がプリント配線板コネクタ１から外れないよう保持される。
【００１６】
図５に第一操作ユニット３１が操作された状態を示す。使用者が第一外力、即ち、引く力をかけ、第一操作ユニット３１のボタン３１０を引くと、保持部材３０２がロック位置から離れ、保持部材３０２のヘッド部３０２ｂがプリント配線板４のノッチ４０を離脱し移動される。これにより、プリント配線板４のロックが解除され、プリント配線板コネクタ１から取り外すことができる。
【００１７】
図６に一定の寸法と高さのデバイスＢ  がプリント配線板４上に設置された状態を示す。ヒートシンク装置やファンなどのこのデバイスＢは、プリント配線板４が細長スロット１０１に設置されたとき、往々にして第一操作ユニット３１を阻害する。その場合、使用者は第二操作ユニット３２と第二外力、即ち、押す力を用い、ピン３２０の第一端３２０ａを押して連結片３２１を動かし、第一操作ユニット３１のボタン３１０を移動させることができる。これにより、第一操作ユニット３１のボタン３１０が第二操作ユニット３２により一定距離移動され、保持部材３０２のヘッド部３０２ｂも対応して移動され、保持部材３０２のヘッド部３０２ｂがプリント配線板４のノッチ４０を離脱する。こうして、プリント配線板４は第二操作ユニット３２によりロック解除される。
【００１８】
加えて、保持部材３０２がロック位置から移動されると、弾性部材３０３が圧縮されるため、保持部材３０２を押し戻すための弾性が蓄えられる。このため、使用者が第一操作ユニット３１及び第二操作ユニット３２の操作を停止すると、保持部材３０２が弾性部材３０３によりロック位置へと戻される。
【実施例２】
【００１９】
図７及び図８に本発明の実施例２を示す。図７に示すように、ロック装置付きプリント配線板コネクタ５は、ブロック部材５０、第一操作ユニット５１、第二操作ユニット５２を含む。ブロック部材５０はプラグとし、第一操作ユニット５１は弾性片とする。このプラグはこの弾性片上に形成され、実施例１の保持部材３０２と同じように、プリント配線板コネクタ５に設置されたプリント配線板６を固定するために用いられる。このため、第一操作ユニット  ５１がその他装置により阻害されていない限り、使用者は第一操作ユニット５１を操作してブロック部材５０をプリント配線板６から離脱させることで、プリント配線板６のロックを解除することができる。さらに、図８に示すように、第一操作ユニット５１が阻害されている場合、使用者は第二操作ユニット５２を操作することができる。使用者は第二操作ユニット５２を押してブロック部材５０をプリント配線板６から離脱させることができる。
【００２０】
実施例１及び実施例２において、本発明は第一操作ユニット及び第二操作ユニットのいずれかを用いてロック装置のブロック部材を移動させ、設置されたプリント配線板のロックを解除することができる。重要な点は、第一操作ユニット及び第二操作ユニットは、使用者が個別に操作することができるよう、互いに一定距離離れて設けられている点である。さらに、第一操作ユニット及び第二操作ユニットは、第一操作ユニット及び第二操作ユニットのどちらも操作することができさえすれば、プリント配線板コネクタの同じ側、反対側、隣接する側、長手方向の両側または短辺方向の両側などに設置することができる。本発明によれば、使用者は第一操作ユニットまたは第二操作ユニットのいずれかを使用し、プリント配線板をロックまたはロック解除することができる。
【図面の簡単な説明】
【００２１】
【図１】本発明の実施例１の斜視図である。
【図２】本発明の実施例１のロック装置の構造を示す部分分解図である。
【図３】本発明の実施例１のロック装置の構造を示す部分断面図である。
【図４】本発明の実施例１においてプリント配線板がロック装置によりロックされた状態を示す上面図である。
【図５】本発明の実施例１においてプリント配線板が第一操作ユニットによりロック解除された状態を示す上面図である。
【図６】本発明の実施例１においてプリント配線板が第二操作ユニットによりロック解除された状態を示す上面図である。
【図７】本発明の実施例２のロック装置の構造を示す部分断面図である。
【図８】本発明の実施例２においてプリント配線板が第二操作ユニットによりロック解除された状態を示す部分水平断面図である。
【図９】従来のプリント配線板の設置に用いるプリント配線板コネクタを示す斜視図である。
【符号の説明】
【００２２】
１        プリント配線板コネクタ
２        マザーボード
１０      ハウジング
１０１    細長スロット
３        ロック装置
４        プリント配線板
４０      ノッチ
３０      ブロック部材
３０１    延長支持部
３０１ａ  通孔
３０１ｂ  貫通孔
３０２    保持部材
３０２ａ  本体
３０２ｂ  ヘッド部
３０２ｃ  テール部
３０３    弾性部材
３１      第一操作ユニット
３１０    ボタン
３１１    締め具
３２      第二操作ユニット
３２０    ピン
３２１    連結片
３２０ａ  第一端
３２０ｂ  第二端
３２１ａ  開口部
５０      ブロック部材
５１      第一操作ユニット
５２      第二操作ユニット
５        プリント配線板コネクタ
６        プリント配線板
８        プリント配線板コネクタ
８０      ロック装置
８０１    操作ユニット
９        プリント配線板
９０      ファン
Ａ        延長線
Ｂ        デバイス
【図１】
2007109433.tif 000003
【図２】
2007109433.tif 000004
【図３】
2007109433.tif 000005
【図４】
2007109433.tif 000006
【図５】
2007109433.tif 000007
【図６】
2007109433.tif 000008
【図７】
2007109433.tif 000009
【図８】
2007109433.tif 000010
【図９】
2007109433.tif 000011